(57)【要約】【課題】  ひとつの収容体で多様な収容物を収容することができ、出し入れを簡便化することができる汎用性のある収容体を提供する。【解決手段】  袋に入れられたごみは収容体本体の下部開口部を開いた状態で袋に被せるだけで飛散防止と鳥獣被害対策ができる。また、ばらばらになりやすい資源物を収容するためには下部の開口部をピンチ等で閉じ、上部開口部を開きそこから収容物を収納でき、ひとつの収容体で多様な収容物を収容することができる。【選択図】図１
2010052944.tif 000002
【特許請求の範囲】
【請求項１】
少なくとも下部開口部を有する収容体本体を備える収納体であって、
当該収容体本体に収容した被収容物を保持するために当該下部開口部を収束閉鎖可能、かつ、解除によって当該下部開口部から当該被収容物を自重落下可能とする開口部収束手段を設けてある
ことを特徴とする収容体。
【請求項２】
前記収容体の下部開口部周縁には、置いたときの裾捲れを防止するための捲れ防止用重りを配してある
ことを特徴とする請求項１記載の収容体。
【請求項３】
前記捲れ防止用重りは、少なくとも部分的に可撓性を有する帯体である
ことを特徴とする請求項２記載の収容体。
【請求項４】
前記開口部収束手段は、収束した当該開口部周縁部位を挟み込むピンチを含めて構成してある
ことを特徴とする請求項１乃至３いずれか記載の収容体。
【請求項５】
前記ピンチが、ヒモ状部材によって前記収容体本体と連結してある
ことを特徴とする請求項４記載の収容体。
【請求項６】
前記収容体本体には、前記下部開口部以外の開口部を設けてあり、
前記ヒモ状部材には、当該開口部を収束閉鎖するための開閉部材の機能を備えさせてある
ことを特徴とする請求項５記載の収容体。
【請求項７】
前記収用体本体は収束閉鎖可能な上部開口部を有し、
収用体本体の自立を補助し、かつ上部開口部の収束を許容する自立補助構造を設けてある
ことを特徴とする請求項１から６いずれか記載の収用体。
【発明の詳細な説明】
【技術分野】
【０００１】  本発明は、収容と取り出しに汎用性を持たせた収容体であって、たとえばごみや資源物とされる被収容物を収容するための収容体に関する。
【背景技術】
【０００２】  従来、家庭などから材質ごとに区分し排出されるプラスチックやペットボトルなどの資源物は、被収容物の典型例であり、それらの回収までの保管方法として、袋に入れ、樹脂製や金属製の容器に保管したり、おもりのついた平ら状の網や筒状の網を被せたりする方法がとられている。【０００３】  袋に入れられたごみの回収までの鳥獣対策や飛散防止のための保管方法としては、ポリバケツをはじめとした樹脂製や金属製のフタ付容器に保管したり、重りのついた平ら状の網や筒状の網を被せたりする方法がとられている。【０００４】  上記の資源物とは空き缶、空きびん、使用後のペットボトルやプラスチックトレイ、プラスチック包装資材、古紙、古布などがある。また、袋に入れられるごみは生ごみや可燃ごみ、資源とされない不燃物などである。【０００５】  上記方法は戸建住宅を対象に戸別に行っている場合についても同様である。
【特許文献１】実用新案登録第３０８７７７１号
【発明の開示】
【発明が解決しようとする課題】
【０００６】  従来のポリバケツをはじめとした樹脂製のごみ収納容器は、被収容物回収後に容器が軽量となり、風による転倒、破損などが問題となっていることがある。また、内容物が軽量の際は収容時でも風などにより転倒したりして、収容物がばらばらに散乱してしまうことがある。【０００７】  材質ごとに区分し排出されるペットボトルやプラスチックなどの資源物は、その材質ごとに一旦袋に入れて保管することもあるが、回収車両や回収容器に移す場合、回収作業者がその都度袋から取りだしてから移さなければならないので回収作業に多くの時間を要する。【０００８】  特許文献１では、重りを有する円筒状ネットを提案して、ごみ袋に被せ、また回収時には上部を持ち上げるだけでネット内の袋を取り出せるとしている。しかしながら袋に入れずに空きビンや空き缶など、ばらばらな物を保管した場合、特許文献１の円筒状のネットは底になる部分を有しないため、該ネット全体を持ち上げなくとも下端部が一部でも捲られた時に、その隙間から被収容物が回りに散乱しやすい。また、これは平ら状の網でも同様である。【０００９】  特許文献１の円筒状のネットでは袋に入れずに収容された物を回収しようとするには、下端部が持ち上がらないように押さえながらも上部に貫通された紐を緩めて開口し、回収者が上部から一つずつ取り出さなければならず、回収作業に多くの時間を要してしまう。
【特許文献１】実用新案登録第３０８７７７１号
【００１０】  本発明はこのような従来の収容体が有していた問題を解決しようとするものであり、ひとつの収容体で多様な収容物を収容することができ、出し入れを簡便化することができるものである。
【課題を解決するための手段】
【００１１】  本発明は上記目的を達成するために、第１の手段として、少なくとも下部開口部を有する収容体本体を備える収納体であって、当該収容体本体に収容した被収容物を保持するために当該下部開口部を収束閉鎖可能、かつ、解除によって当該下部開口部から当該被収容物を自重落下可能とする開口部収束手段を設けてあることを特徴とする収容体である。【００１２】  第２の手段として、前記第１の手段の収容体の下部開口部周縁には、置いたときの裾捲れを防止するための捲れ防止用重りを配してあることを特徴とする収容体である。【００１３】  第３の手段として、前記第２の手段の捲れ防止用重りは、少なくとも部分的に可撓性を有する帯体であることを特徴とする収容体である。【００１４】  第４の手段として、前記第１から第３の手段の開口部収束手段は、収束した当該開口部周縁部位を挟み込むピンチを含めて構成してあることを特徴とする収容体である。【００１５】  第５の手段として、前記第４の手段のピンチが、ヒモ状部材によって前記収容体本体と連結してあることを特徴とする収容体である。【００１６】  第６の手段として前記第５の手段の収容体本体には、前記下部開口部以外の開口部を設けてあり、前記ヒモ状部材には、当該開口部を収束閉鎖するための開閉部材の機能を備えさせてあることを特徴とする収容体である。【００１７】  第７の手段として、前記第１から第６の手段いずれかの収用体において、収用体本体は収束閉鎖可能な上部開口部を有し、収用体本体の自立を補助し、かつ上部開口部の収束を許容する自立補助構造を設けてあることを特徴とする収用体である。【００１８】  収容体本体の素材は網状体が好ましい。被収容物の大きさや形状等にもよるが、たとえば該網状体は鳥獣による散乱防止のためには、網の目合いはたとえば３〜１０ｍｍが良い。
【発明の効果】
【００１９】  下部開口部を収束させるピンチは操作が容易であることから、片手で収容体本体を持ち上げ、他方の片手でピンチを操作し収束を解除し、下部開口部を開放することができる。収容体本体を一旦路面に置いてから、被収容物を他の場所へ移すという面倒な作業を必要とせず、被収容物は自重によって開放された下部開口部から落下するので、開放作業を回収車や回収容器投入口上で行えば、被収容物を容易に移し入れることが可能となり、作業時間を短縮することができる。【００２０】  本発明では下部開口部周縁に重りを配しているので、該下部開口部を広げてごみ袋などの被収容物に被せるだけで飛散防止及び鳥獣被害対策ができる。重りが裾捲れを防止するからである。回収は収容体本体を持ち上げるだけで被収容物が出てくるので容易である。【００２１】  下部開口部を収束するピンチは、該下部開口部を開放させているときは遊んでいるが、これを収容体付近の柵に連結すれば、該収容体が風などによりずれることを防ぐことができる。この場合の付近とは、収容体本体と下部開口部を収束するピンチを連結しているヒモ状部材の届く距離とするが、それ以上の距離に連結する際は該ヒモ状部材に同様の部材を連結して距離を伸ばすことができる。【００２２】  本発明の収容体本体をたとえば網状体にすることで、内容物の視認ができ、排出方法が守られているかの確認が容易にできるので便利である。【００２３】  本発明の収容体本体を網状体にすることで通気性もよくなり、収容物から発生する悪臭がこもることを防ぐことができる。【００２４】  収容体に付属する重りに鎖や綱などの可撓性を有するものを使用することで、下部開口部を開放してごみ袋などに被せて使用する際には、収容体本体下部が設置面の形状や凹凸に合わせて密着させやすくなり隙間ができにくくなるので鳥獣被害を防止することができる。【００２５】  下部開口部周縁に重りを装着することで、重心がとりやすくなり、被収容物を保管する際に安定させやすくなる。【００２６】  開口部が複数（たとえば、下部開口部以外に上部開口部を設ける）ある場合、そのうちの一つを収束閉鎖した状態で、被収容物を収納する際は、他の開口部を開放することで可能である。すなわち、上記例示した上部開口部を設けた場合、上部開口部が塞がれている場合は下部開口部を開放し、被収容物に被せるようにして収納でき、また下部開口部を収束した場合は、上部開口部を開放し、被収容物を投入し収納できるので、より被収容物を収納及び追加収納しやすくすることができる。【００２７】  収用体本体には自立補助構造を設けることが好ましく、その場合は、収用体本体の自立によって上部開口部を介した被収容物の収納及び追加収納が行いやすくなる。自立補助構造は、上部開口部の収束を妨げないので、被収容物を収納及び追加収納した後の閉鎖に悪影響はない。【００２８】  上記のように本発明は下部開口部に収束閉鎖手段を持たせ、該下部開口部周縁に重りを配することで、利用方法に汎用性を持たせることができる。主に家庭から排出される袋に入れて出されるごみ以外にも、ばらばらになりやすい資源物など多様な物を収容体に取りまとめることができ、風による飛散も防ぐことができる。【００２９】  該��端部を収束閉鎖する手段としては、他に面ファスナーを装着したベルト体、剛性のある素材の輪、ヒモ状部材、輪ゴムなどを使うことも可能である。【００３０】  該収容体の下部開口部を収束閉鎖する手段として、ベルト体に面ファスナーを装着する際、該面ファスナーのフック面とループ面の長さを変えることで非結合面部分を作り、非結合面を成人が容易につかむことができる長さにすることで、面ファスナーを容易にはずすことができ、収納された資源物やごみなどを容易に回収車両や回収容器に移し入れることができる。
【発明を実施するための最良の形態】
【００３１】  以下本発明の実施の形態を図１から図１９に基づいて説明する。【００３２】  図１において、収容体本体１、下部開口部６の周縁に装着される重り２、下部開口部６の収束手段としてのピンチ３、ピンチ３と収容体本体１を連結し、なおかつ他の開口部５を設け、該開口部の開閉手段として該開口部を収束するヒモ状部材４から構成されている。【００３３】  図１においては、収容体本体１を可撓性のある網状筒体で構成し、上部に位置する開口部５の開閉手段として、少なくとも収容体本体１の周囲及び高さを加えた長さ以上のヒモ状部材４を該上部開口部５近傍に網目を縫うように周回させ、該ヒモ状部材４の端部にはピンチ３を結合する。また、図２のように下部開口部６周縁の収容体本体１端部を折り返し、縫合することで袋状とし、鎖状帯体２を装着し重りとする。また鎖状帯体２は両端部を連結し環状とさせると、該重りが偏らずに配置できる。【００３４】  図３から４は上記実施形態にて下部開口部６を収束閉鎖して使用する際の手順である。ヒモ状部材４に結合したピンチ３にて下部開口部６を収束、閉鎖し、図３のように上部開口部５より被収容物７（ペットボトルなど）を収納する。収納後図４にて上部開口部５をヒモ状部材４にて収束し閉鎖する。尚、ピンチ３は収容体本体１を収束できる大きさのはさみ部分があり、収容体本体１の下部開口部６から被収容物７が自重落下するのを阻止するのに十分な強度を持っているものとする。【００３５】  図５は上記実施形態での設置例である。収容体本体１を可撓性の網状体や布状体で構成した場合、設置したときに下部開口部６付近がたるみ、被収容物７の保護効果もある。【００３６】  図６は回収者９が回収容器１０に被収容物７を移し入れる例を示した。収容体本体１を片手で持ち上げ回収容器１０上で他方の片手でピンチ３を開放し、下部開口部６から被収容物７を自重落下させる。自重落下なので被収容物をわざわざ移し替える手間を省くことができる。【００３７】  図７では下部開口部６を開放し、袋に入れた被収容物１１に収容体本体１を被せて収納した例である。ヒモ状部材４に結合したピンチ３を門扉８などに取り付ければ、収容体が風に飛ばされたときの紛失防止にもなる。回収時は収容体本体１を持ち上げるだけで被収容物１１がでてくるので便利である。【００３８】  図８は下部開口部６を開放し、袋に入れた被収容物１１に収容体本体１を被せた例であるが、ヒモ状部材４を柱１２などに巻きつけピンチ３にて該ヒモ状部材４をはさみ、環状にして柱１２に取り付けた例である。【００３９】  図９は収用体本体１に、支持体挿入部１８と支持体１９からなる自立補助構造３１を設けた例である。【００４０】  図１０は図９の丸で囲んだ自立補助構造３１部分の拡大図である。まず支持体１９を挿入するために収容体本体１の高さ方向の少なくとも収束可能な高さ位置までの所定の範囲に縦長袋状の支持体挿入部１８を縫製形成する。次に、この支持体挿入部１８に、支持体１９を下部開口部６の周縁に配置された重り２と交差させるように上から挿入する。必要に応じて、支持体挿入部１８の上部を縫製閉鎖してもよい。支持体１９を重り２と交差させたのは、交差を必須とするものではないが交差によって���り安定性を高めるためである。【００４１】  図１１は図９に示された本実施形態の利用例である。収用体本体１に最初に被収容物１１を投入する際（２点鎖線で示す開放状態にある際）に、自立補助構造３１が収用体本体１のもつ自立を補助することにより上部開口部５が開放され利用者による被収容物１１の投入を容易にするものである。この自立補助構造３１は、上部開口部５の収束を妨げない。【００４２】  図１２は支持体１９と重り２を交差させずに自立補助構造３１を設けた例である。収用体本体１の高さ方向上下に自立補助構造３１の非装着部分（支持体１９下端と重り２との間の部分及び支持体１９上端と上部開口部５の周縁との間の部分）を設ける。自立補助構造３１は収用体本体１を周縁するように支持体挿入部１８及び支持体１９を配置する。【００４３】  図１３は図１２に示された本実施形態の利用例である。この場合、支持体１９の下部先端から下部開口部６周縁との間における収用体本体１をたるませ、このたるみによって支持体１９の下部先端部が接地するように置くことが可能である。接地により地面に対する収用体本体１の安定性が高まり、下部開口部６が収束し閉じている時に上部開口部５から被収容物１１を収納及び追加収納する場合にも収用体本体１が自立しやすくなる。【００４４】  自立補助構造３１は上部開口部５や下部開口部６の収束及び開放動作を妨げないよう、収用体本体１を構成する網状体や布状体よりも、弾性と剛性が高くなお且つ収容体本体１の網状体の形状に沿うように、湾曲するものが望ましい。【００４５】  自立補助構造３１の実施例として、収容体本体１の一部をつまみ縫いして縦長の「補助しろ」を形成し支持体挿入部１８とし、細長い棒材（板材）を支持体１９として収用体本体１の高さ方向に取り付ける方法がある。（図９）【００４６】  自立補助構造３１は上記例に限定する必要はなく、たとえば次の構造を用いることもできる。自立補助構造３１を構成する支持体１９の実施例として棒材や板材が挙げられるが、その素材としては金属、合成樹脂、木材の棒やパイプ、細長い板状のバネ材などが挙げられる。支持体１９の取り付け方法として、貼り付け、縫い付け、上記補助しろに差し込む、収用体本体１が網状体で構成される場合は網目にくぐらせるなどの例が挙げられる。【００４７】  図１４は上部開口部５の開閉手段としてファスナー１５を装着し、また、下部開口部６の収束手段として面ファスナーを装着したベルト体１３を使用した例である。収容体本体１を網状体にすることで、下部開口部６開放時は引っ掛け具１４を利用して収容体本体１に引っ掛けて、ベルト体１３が地面につき汚れることを防ぐことができる。【００４８】  図１５のように下部開口部６を収束閉鎖する手段として、ベルト体に面ファスナーを装着するとき、該面ファスナーのフック面とループ面の長さを変えることで非結合面をつくり、非結合面を成人が容易につかむことができる長さにすることで、面ファスナーを容易にはずすことができ、収納された資源物やごみなどを容易に回収車両や回収容器に移し入れることができる。【００４９】  図１５の下部開口部６の収束時はベルト体１３に装着された面ファスナーのフック面を外側にして巻くことで���筒体の網に該フックが引っ掛かりにくくなる。【００５０】  図１６では上下の開口部の開閉手段としてヒモ状部材１６にて収束閉鎖した例である。【００５１】  図１７から図１９は下部開口部６の収束手段として収容体本体１を通した剛性のある素材の輪１７を使用した例である。下部開口部６を開放して使用する時には輪１７を上部開口部５の下部近傍まで摺り上げておき（図１７）、下部開口部６を収束閉鎖する時は輪１７（図１８で２点鎖線で示す）を下部開口部６周縁に配した重り２の上部近傍まで摺り下げるようにする（図１８で実線で示す）。輪１７を摺り下げることにより、上部開口部５が開放される（図１９）ので、開放された上部開口部５から被収容物７を投入し、その後上部開口部５はヒモ状部材４にて収束し閉じる。該輪１７の大きさは収容体本体１を収束し上下に動作させることができ、かつ、下部開口部６を収束閉鎖できる大きさである。
【図面の簡単な説明】
【００５２】
【図１】本発明の実施形態を示す収容体の全体図。
【図２】同下部開口部周縁に装着された重りの部分拡大図
【図３】同収容体下部開口部の収束手段についての説明
【図４】同収容体使用例
【図５】同収容体設置例
【図６】同収容体を使用しての被収容物回収例
【図７】同収容体設置例
【図８】同収容体設置例
【図９】同収容体高さ方向に装着された支持体の装着例
【図１０】同収容体高さ方向に装着された支持体の部分拡大図
【図１１】支持体を装着した同収用体の利用例
【図１２】同収容体高さ方向に装着された支持体の装着例
【図１３】支持体を装着した同収用体の利用例
【図１４】同収容体開口部の開閉及び収束手段の実施例
【図１５】同上
【図１６】同上
【図１７】同上
【図１８】同上
【図１９】同上
【符号の説明】
【００５３】１．      収容体本体
２．      重り
３．      ピンチ
４．      ヒモ状部材
５．      上部開口部
６．      下部開口部
７．      被収容物
８．      門扉
９．      回収者
１０．    回収容器
１１．    被収容物
１２．    柱
１３．    面ファスナーを装着したベルト体
１４．    引っ掛け具
１５．    ファスナー
１６．    ヒモ状部材
１７．    輪
１８．    支持体挿入部
１９．    支持体
３１．    自立補助構造
【図１】
2010052944.tif 000003
【図２】
2010052944.tif 000004
【図３】
2010052944.tif 000005
【図４】
2010052944.tif 000006
【図５】
2010052944.tif 000007
【図６】
2010052944.tif 000008
【図７】
2010052944.tif 000009
【図８】
2010052944.tif 000010
【図９】
2010052944.tif 000011
【図１０】
2010052944.tif 000012
【図１１】
2010052944.tif 000013
【図１２】
2010052944.tif 000014
【図１３】
2010052944.tif 000015
【図１４】
2010052944.tif 000016
【図１５】
2010052944.tif 000017
【図１６】
2010052944.tif 000018
【図１７】
2010052944.tif 000019
【図１８】
2010052944.tif 000020
【図１９】
2010052944.tif 000021